(57)【要約】      （修正有）【課題】分岐器が有する複数のポート全てに任意の機器を接続可能として通信経路を自動的に設定できるようにすることで、分岐器を追加することなく自由に通信経路の多重化を行う。【解決手段】複数の分岐器４Ａ〜４ＩのポートＰ４１、Ｐ４２、Ｐ４３、Ｐ４４は、自系統内における他の分岐器、制御装置５及び複数の端末１、２、３のうち任意の機器を接続可能で所定のポート番号を有しており、上りポート／系統／ＩＤ番号管理部４０が、ポートに接続された機器情報を確認するための接続確認フレーム信号を生成すると、接続確認フレーム信号を受信した任意の機器から伝送されてくる接続応答データ信号をポートを経由してポートデータ通信部４１、４２、４３、４４が受信し、ポート情報管理部４５は、受信された接続応答データ信号をもとに任意の機器の機器情報について接続応答データ信号を受信したポートが有するポート番号に対応させて管理する。【選択図】図２
2015142164.tif 000002
【特許請求の範囲】
【請求項１】
リング状にポート番号が付与された複数の系統毎に設置される複数の分岐器と、前記分岐器に接続される複数の端末と、前記複数の系統のうち少なくとも２つの系統にそれぞれ割当てられる当該分岐器に幹線を経由して接続され、前記複数の端末間におけるデータ信号の送受信制御を行う制御装置とを備えるインターホンシステムにおいて、
前記分岐器は、自系統内における他の分岐器、前記制御装置及び前記複数の端末のうち任意の機器を接続可能で所定のポート番号を有する複数のポートと、前記ポートに接続された機器が前記他の分岐器、前記制御装置及び前記複数の端末のうち何れの機器であるかの機器情報を確認するための接続確認フレーム信号を生成する上りポート／系統／ＩＤ番号管理部と、前記複数のポート毎に接続され前記上りポート／系統／ＩＤ番号管理部で生成された前記接続確認フレーム信号を前記ポートを経由して前記幹線に送出するとともに前記接続確認フレーム信号を受信した前記任意の機器から伝送されてくる接続応答データ信号を前記ポートを経由して受信する複数のポートデータ通信部と、前記ポートデータ通信部で受信された前記接続応答データ信号をもとに前記任意の機器の機器情報について前記接続応答データ信号を受信した前記ポートが有する前記ポート番号に対応させてポート情報を管理するポート情報管理部とを備え、
前記制御装置は、当該制御装置が管理を行う系統番号及びＩＤ番号を前記分岐器に付与するための番号付与フレーム信号を生成する系統／ＩＤ番号／ポート情報管理部と、前記複数の系統毎に設けられ前記系統／ＩＤ番号／ポート情報管理部で生成された前記番号付与フレーム信号を前記幹線に送出する複数の系統データ通信部とを備え、
前記分岐器の前記上りポート／系統／ＩＤ番号管理部は、前記複数のポートデータ通信部がそれぞれ接続された前記複数のポートのうち前記幹線を経由して伝送されてくる前記番号付与フレーム信号を受信した当該ポートを上りポートとして割当てて登録する機能と、前記番号付与フレーム信号に付加された前記系統番号及び前記ＩＤ番号を自分岐器の当該系統番号及び当該ＩＤ番号として登録する機能と、前記登録が完了したとき自管理部に登録された前記系統番号、前記ＩＤ番号及び前記ポート情報が付加された登録完了フレーム信号を生成し、前記上りポートに接続された前記ポートデータ通信部から当該上りポートを経由して前記幹線に送出する機能とを有し、
前記制御装置の前記系統／ＩＤ番号／ポート情報管理部は、前記幹線を経由して伝送されてくる前記登録完了フレーム信号に付加された前記系統番号、前記ＩＤ番号及び前記ポート情報を登録する機能を有することを特徴とするインターホンシステム。
【請求項２】
前記分岐器の前記上りポート／系統／ＩＤ番号管理部は、自管理部に予め登録された前記機器情報を参照して前記複数のポートのうち前記上りポートを除く他のポートに接続されている機器が前記他の分岐器であったとき、自管理部に予め登録された前記ＩＤ番号に所定値を加算した番号付与フレーム信号を生成し、前記他の分岐器が接続されている前記他のポートに接続された前記ポートデータ通信部から当該他のポートを経由して前記幹線に送出する機能を有することを特徴とする請求項１記載のインターホンシステム。
【請求項３】
前記分岐器の前記上りポート／系統／ＩＤ番号管理部は、前記複数のポートのうち前記上りポートを除く他のポートに接続された前記ポートデータ通信部で前記番号付与フレーム信号を受信したとき、自分岐器に割当てられる前記系統番号及び前記ＩＤ番号が登録済みであることを前記他の分岐器に通知するための登録拒否フレーム信号を生成し、前記他のポートに接続された前記ポートデータ通信部を経由して前記幹線に送出する機能を有する請求項１記載のインターホンシステム。
【請求項４】
前記分岐器の前記上りポート／系統／ＩＤ番号管理部は、前記複数のポートのうち前記幹線を経由して伝送されてくる前記登録拒否フレーム信号を受信した当該ポートが有するポート番号を登録する機能を有することを特徴とする請求項３記載のインターホンシステム。
【請求項５】
前記分岐器の前記上りポート／系統／ＩＤ番号管理部は、自管理部に予め登録された前記機器情報を参照して前記複数のポートのうち前記上りポートを除く他のポートに接続されている機器が前記端末であったとき、自分岐器が最後段の当該分岐器であることを示す信号であって最終ＩＤ番号を付加した最終ＩＤ番号フレーム信号を生成し、前記上りポートに接続された前記ポートデータ通信部から当該上りポートを経由して前記幹線に送出する機能を有することを特徴とする請求項１記載のインターホンシステム。
【請求項６】
前記分岐器は、前記上りポート／系統／ＩＤ番号管理部に予め登録された前記機器情報を参照して前記複数のポートのうち前記幹線を経由して伝送されてくる前記最終ＩＤ番号フレーム信号を受信した当該ポートと前記上りポートを除く他のポートにそれぞれ接続されている機器が前記他の分岐器であったとき、前記最終ＩＤ番号フレーム信号を保存するフレームバッファ部を備え、
前記上りポート／系統／ＩＤ番号管理部は、前記フレームバッファ部に保存された前記最終ＩＤ番号フレーム信号に付加されている前記ＩＤ番号に所定値を加算した番号付与フレーム信号を生成し、前記他の分岐器が接続されている前記他のポートに接続された前記ポートデータ通信部から当該他のポートを経由して前記幹線に送出する機能を有することを特徴とする請求項５記載のインターホンシステム。
【請求項７】
前記分岐器の前記上りポート／系統／ＩＤ番号管理部は、前記最終ＩＤ番号フレーム信号が前記フレームバッファ部に保存されているとき、前記複数のポートのうち前記上りポートを除く他のポートに接続された前記ポートデータ通信部で前記最終ＩＤ番号フレーム信号を受信すると、前記受信した前記最終ＩＤ番号フレーム信号を前記上りポートに接続された前記ポートデータ通信部から当該上りポートを経由して前記幹線に送出する機能を有することを特徴とする請求項６記載のインターホンシステム。
【請求項８】
前記分岐器の前記上りポート／系統／ＩＤ番号管理部は、前記最終ＩＤ番号フレーム信号が前記フレームバッファ部に保存されているとき、前記複数のポートのうち前記上りポートを除く他のポートに接続された前記ポートデータ通信部で前記登録拒否フレーム信号を受信すると、前記フレームバッファ部から読出した前記最終ＩＤ番号フレーム信号を前記上りポートに接続された前記ポートデータ通信部から当該上りポートを経由して前記幹線に送出する機能を有することを特徴とする請求項６記載のインターホンシステム。
【請求項９】
前記制御装置の前記系統／ＩＤ番号／ポート情報管理部は、前記幹線を経由して伝送されてくる前記最終ＩＤ番号フレーム信号に付加された前記最終ＩＤ番号を登録する機能を有することを請求項５乃至請求項８のうち何れか１項記載のインターホンシステム。
【請求項１０】
前記分岐器は、前記複数のポートのうち前記上りポートとして設定される接続優先順位を有することを請求項１乃至請求項９のうち何れか１項記載のインターホンシステム。
【請求項１１】
当該インターホンシステムの初期起動後において、前記番号付与フレーム信号の受信動作が行われた当該ポートデータ通信部と前記幹線を経由して前記制御装置との間で通信を行うものであって、前記制御装置から前記番号付与フレーム信号の受信動作が行われた当該ポートデータ通信部への出力信号が不達であるとき、前記ＩＤ番号の再付与を要求するための通知フレーム信号を生成して前記接続優先順位にしたがって新たに選択された上りポートから前記幹線に送出することを特徴とする請求項１０記載のインターホンシステム。
【発明の詳細な説明】
【技術分野】
【０００１】
本発明は、インターホンシステムに係り、特に、制御装置により制御、例えば、データ信号の送受信制御が行われる複数の端末を、複数の分岐器を経由して接続することができるインターホンシステムに関する。
【背景技術】
【０００２】
従来から、この種のインターホンシステムとして、複数の系統毎の幹線に接続される系統分岐器のうち最後段の系統分岐器と終端分岐器とを接続して通信経路を多重化し、系統分岐器間の接続断時又はその復旧時においてＩＤ番号を再付与して通信経路を変更することにより、継続した通信が可能なインターホンシステムが開示されている（例えば、特許文献１を参照）。
【０００３】
このインターホンシステムによれば、少なくとも２の系統における最後段の系統分岐器を終端分岐器に接続して通信経路を多重化し、系統分岐器の接続断時又はその接続断の復旧時においてＩＤ番号の再付与することで通信経路を変更することができる。これにより、ある系統分岐器と幹線との間が接続断となった場合であっても、他の系統分岐器を経由した継続通信が可能となる。
【先行技術文献】
【特許文献】
【０００４】
【特許文献１】特開２０１３−９３６４４号公報
【発明の概要】
【発明が解決しようとする課題】
【０００５】
しかしながら、背景技術に記載されたインターホンシステムにおいて通信経路の多重化を行う場合、最後段の系統分岐器に他の系統分岐器を別途に接続する必要があるばかりでなく、系統分岐器を接続できるポートが予め決まっているため、制限が課されていた。
【０００６】
本発明は、この難点を解消するためになされたものであって、分岐器が有する複数のポート全てに任意の機器を接続可能として通信経路を自動的に設定できるようにすることで、分岐器を追加することなく自由に通信経路の多重化を行うことができるインターホンシステムを提供することを目的としている。
【課題を解決するための手段】
【０００７】
前述の目的を達成するため、本発明の第１の態様であるインターホンシステムは、リング状にポート番号が付与された複数の系統毎に設置される複数の分岐器と、分岐器に接続される複数の端末と、複数の系統のうち少なくとも２つの系統にそれぞれ割当てられる当該分岐器に幹線を経由して接続され、複数の端末間におけるデータ信号の送受信制御を行う制御装置とを備えている。分岐器は、自系統内における他の分岐器、制御装置及び複数の端末のうち任意の機器を接続可能で所定のポート番号を有する複数のポートと、ポートに接続された機器が他の分岐器、制御装置及び複数の端末のうち何れの機器であるかの機器情報を確認するための接続確認フレーム信号を生成する上りポート／系統・ＩＤ番号管理部と、複数のポート毎に接続され上りポート／系統・ＩＤ番号管理部で生成された接続確認フレーム信号をポートを経由して幹線に送出するとともに接続確認フレーム信号を受信した任意の機器から伝送されてくる接続応答データ信号をポートを経由して受信する複数のポートデータ通信部と、ポートデータ通信部で受信された接続応答データ信号をもとに任意の機器の機器情報について接続応答データ信号を受信したポートが有するポート番号に対応させてポート情報を管理するポート情報管理部とを備えている。制御装置は、当該制御装置が管理を行う系統番号及びＩＤ番号を分岐器に付与するための番号付与フレーム信号を生成する系統・ＩＤ番号／ポート情報管理部と、複数の系統毎に設けられ系統・ＩＤ番号／ポート情報管理部で生成された番号付与フレーム信号を幹線に送出する複数の系統データ通信部とを備えている。分岐器の上りポート／系統・ＩＤ番号管理部は、複数のポートデータ通信部がそれぞれ接続された複数のポートのうち幹線を経由して伝送されてくる番号付与フレーム信号を受信した当該ポートを上りポートとして割当てて登録する機能と、番号付与フレーム信号に付加された系統番号及びＩＤ番号を自分岐器の当該系統番号及び当該ＩＤ番号として登録する機能と、登録が完了したとき自情報管理部に登録された系統番号、ＩＤ番号及びポート情報が付加された登録完了フレーム信号を生成し、上りポートに接続されたポートデータ通信部から当該上りポートを経由して幹線に送出する機能とを有している。制御装置の系統・ＩＤ番号／ポート情報管理部は、幹線を経由して伝送されてくる登録完了フレーム信号に付加された系統番号、ＩＤ番号及びポート情報を登録する機能を有している。
【０００８】
また、本発明の第２の態様であるインターホンシステムは、本発明の第１の態様において、分岐器の上りポート／系統・ＩＤ番号管理部は、自管理部に予め登録された機器情報を参照して複数のポートのうち上りポートを除く他ポートに接続されている機器が他の分岐器であったとき、自管理部に予め登録されたＩＤ番号に所定値を加算した番号付与フレーム信号を生成し、他の分岐器が接続されている他のポートに接続されたポートデータ通信部から当該他のポートを経由して幹線に送出する機能を有している。
【０００９】
また、本発明の第３の態様であるインターホンシステムは、本発明の第１の態様において、分岐器の上りポート／系統・ＩＤ番号管理部は、複数のポートのうち上りポートを除く他のポートに接続されたポートデータ通信部で番号付与フレーム信号を受信したとき、自分岐器に割当てられる系統番号及びＩＤ番号が登録済みであることを他の分岐器に通知するための登録拒否フレーム信号を生成し、他のポートに接続されたポートデータ通信部を経由して幹線に送出する機能を有している。
【００１０】
また、本発明の第４の態様であるインターホンシステムは、本発明の第３の態様において、分岐器の上りポート／系統・ＩＤ番号管理部は、複数のポートのうち幹線を経由して伝送されてくる登録拒否フレーム信号を受信した当該ポートが有するポート番号を登録する機能を有している。
【００１１】
また、本発明の第５の態様であるインターホンシステムは、本発明の第１の態様において、分岐器の上りポート／系統・ＩＤ番号管理部は、自管理部に予め登録された機器情報を参照して複数のポートのうち上りポートを除く他のポートに接続されている機器が端末であったとき、自分岐器が最後段の当該分岐器であることを示す信号であって最終ＩＤ番号を付加した最終ＩＤ番号フレーム信号を生成し、上りポートに接続されたポートデータ通信部から当該上りポートを経由して幹線に送出する機能を有している。
【００１２】
また、本発明の第６の態様であるインターホンシステムは、本発明の第５の態様において、分岐器は、上りポート／系統・ＩＤ番号管理部に予め登録された機器情報を参照して複数のポートのうち幹線を経由して伝送されてくる最終ＩＤ番号フレーム信号を受信した当該ポートと上りポートを除く他ポートにそれぞれ接続されている機器が他の分岐器であったとき、最終ＩＤ番号フレーム信号を保存するフレームバッファ部を備えている。上りポート／系統・ＩＤ番号管理部は、フレームバッファ部に保存された最終ＩＤ番号フレーム信号に付加されているＩＤ番号に所定値を加算した番号付与フレーム信号を生成し、他の分岐器が接続されている他のポートに接続されたポートデータ通信部から当該他のポートを経由して幹線に送出する機能を有している。
【００１３】
また、本発明の第７の態様であるインターホンシステムは、本発明の第６の態様において、分岐器の上りポート／系統・ＩＤ番号管理部は、最終ＩＤ番号フレーム信号がフレームバッファ部に保存されているとき、複数のポートのうち上りポートを除く他のポートに接続されたポートデータ通信部で最終ＩＤ番号フレーム信号を受信すると、受信した最終ＩＤ番号フレーム信号を上りポートに接続されたポートデータ通信部から当該上りポートを経由して幹線に送出する機能を有している。
【００１４】
また、本発明の第８の態様であるインターホンシステムは、本発明の第６の態様において、分岐器の上りポート／系統・ＩＤ番号管理部は、最終ＩＤ番号フレーム信号がフレームバッファ部に保存されているとき、複数のポートのうち上りポートを除く他のポートに接続されたポートデータ通信部で登録拒否フレーム信号を受信すると、フレームバッファ部から読出した最終ＩＤ番号フレーム信号を上りポートに接続されたポートデータ通信部から当該上りポートを経由して幹線に送出する機能を有している。
【００１５】
また、本発明の第９の態様であるインターホンシステムは、本発明の第５の態様乃至第８の態様のうち何れか１の態様において、制御装置の系統・ＩＤ番号／ポート情報管理部は、幹線を経由して伝送されてくる最終ＩＤ番号フレーム信号に付加された最終ＩＤ番号を登録する機能を有している。
【００１６】
また、本発明の第１０の態様であるインターホンシステムは、本発明の第１の態様乃至第９の態様のうち何れか１の態様において、分岐器は、複数のポートのうち上りポートとして設定される接続優先順位を有している。
【００１７】
また、本発明の第１１の態様であるインターホンシステムは、本発明の第１０の態様において、当該インターホンシステムの初期起動後において、番号付与フレーム信号の受信動作が行われた当該ポートデータ通信部と幹線を経由して制御装置との間で通信を行うものであって、制御装置から番号付与フレーム信号の受信動作が行われた当該ポートデータ通信部への出力信号が不達であるとき、ＩＤ番号の再付与を要求するための通知フレーム信号を生成して接続優先順位にしたがって新たに選択された上りポートから幹線に送出するものである。
【発明の効果】
【００１８】
本発明のインターホンシステムによれば、リング状にポート番号が付与された複数の異なる系統毎に設置され、当該系統毎に異なる幹線を経由して制御装置に接続される複数の分岐器が有するポート全てに任意の機器、例えば、インターホン端末を接続可能として、少なくとも２の系統における分岐器間における通信経路を多重化し、分岐器の接続断時やその復旧時においてＩＤ番号の再付与することで通信経路を自動的に変更することができる。これにより、分岐器を追加することなく自由に通信経路の多重化を行うことができる。
【図面の簡単な説明】
【００１９】
【図１】本発明の実施例によるインターホンシステムにおいて、その全体構成の一例を示すシステム説明図。
【図２】本発明の実施例によるインターホンシステムにおいて、（Ａ）は複数の分岐器の具体的な構成を示すブロック図、（Ｂ）は制御装置の具体的な構成を示すブロック図。
【図３】本発明の実施例によるインターホンシステムにいて、具体的な動作（第２の動作）を説明するための模式説明図。
【図４】本発明の実施例によるインターホンシステムにいて、具体的な動作（第２の動作）を説明するための模式説明図。
【図５】本発明の実施例によるインターホンシステムにいて、具体的な動作（第３の動作）を説明するための模式説明図。
【図６】本発明の実施例によるインターホンシステムにいて、具体的な動作（第３の動作）を説明するための模式説明図。
【図７】本発明の実施例によるインターホンシステムにおいて、具体的な動作（第２、第３の動作）を説明するためのフローチャート図。
【発明を実施するための形態】
【００２０】
以下、本発明のインターホンシステムを適用した実施の形態例について、図面を参照して説明する。
【００２１】
図１は、本発明の実施例によるインターホンシステムにおいて、その全体構成の一例を示すシステム説明図である。このインターホンシステムは、所定の建物内、例えば、マンション等の集合住宅の複数のフロア毎のフロア玄関、住戸内、住戸玄関等にそれぞれ設置される複数の端末、例えば、インターホン端末を構成するカメラ端末１、モニタ端末２及び子機端末３と、複数の端末（カメラ端末、モニタ端末及び子機端末）１、２、３のうち例えば、複数のフロア毎に設置可能な端末の台数に制限が設けられている場合において当該端末を後述する複数の異なる系統毎に割当てて分岐する複数の分岐器４Ａ、４Ｂ、４Ｃ、４Ｄ、４Ｅ、４Ｆ、４Ｇ、４Ｈ、４Ｉと、リング状に後述するポート番号が付加された複数の系統のうち少なくとも２以上の系統にそれぞれ割当てられる当該分岐器に系統毎の後述する幹線を経由して接続され、複数の端末（カメラ端末、モニタ端末及び子機端末）１、２、３間におけるデータ信号の送受信制御、例えば、インターホン関連動作としての、呼出時における制御フレーム信号の伝送、映像撮像時における映像フレーム信号の伝送、通話成立時における音声フレーム信号の送受信等を行う制御装置５とが備えられている。
【００２２】
なお、本発明の実施例において、複数の系統としては、系統番号が「１」、「２」、「３」で異なる第１乃至第３の系統が設定されているものとし、これら系統毎の幹線としては、第１乃至第３の幹線Ｌ１、Ｌ２、Ｌ３がそれぞれ割当てられているものとする。
【００２３】
また、複数の端末１、２、３としては、前述のようなカメラ端末１、モニタ端末２及び子機端末３の構成態様に限定されるものではなく、例えば、インターホン通信技術に適用される端末であれば、多種・多様な端末を適用することができる。
【００２４】
さらに、複数の分岐器としては、同実施例に示す分岐器４Ａ、４Ｂ、４Ｃ、４Ｄ、４Ｅ、４Ｆ、４Ｇ、４Ｈ、４Ｉの台数（９台）に限定されるものでなく、任意の台数を適用することができる。これら分岐器４Ａ、４Ｂ、４Ｃ、４Ｄ、４Ｅ、４Ｆ、４Ｇ、４Ｈ、４Ｉは、それぞれ同一な構成であって、自系統内における複数の端末（カメラ端末、モニタ端末及び子機端末）１、２、３及び制御装置５のうち任意の機器を接続可能で所定のポート番号を有する複数のポート、ここでは、ポート番号「１」、「２」、「３」、「４」を有する４個のポート（以下、第１乃第４の分岐器ポートという）Ｐ４１、Ｐ４２、Ｐ４３、Ｐ４４を有しているものとする。なお、所定のポート番号を有する複数のポートの当該ポート数は、前述のような４個に限定されるものでなく、任意の数を適用することもできる。
【００２５】
次に、図１に示す構成のインターホンシステムを、例えば、当該システムの施工時等における初期起動前の構成として仮定するにあたって、系統（ポート）番号「１」に該当する第１の幹線Ｌ１には、複数の分岐器４Ａ、４Ｂ、４Ｃ、４Ｄ、４Ｅ、４Ｆ、４Ｇ、４Ｈ、４Ｉのうち、制御装置５寄りの最前段から最後段までの順で（３台の）分岐器４Ａ、４Ｂ、４Ｃが接続されているものとする。ここで、分岐器４Ａ、４Ｂ、４Ｃにおいて制御装置５寄りの第１の幹線Ｌ１は第１の分岐器ポートＰ４１に接続され、分岐器４Ａ、４Ｂにおいて後段側の第１の幹線Ｌ１は第３の分岐器ポートＰ４３に接続されており、分岐器４Ｃの第３の分岐器ポートＰ４３はカメラ端末１に接続され、この分岐器４Ｃの第２の分岐器ポートＰ４２及び（隣接する）分岐器４Ｆの第４の分岐器ポートＰ４４間は相互にライン接続（符号は付与・図示せず）されているものとする。
【００２６】
また、同様な初期起動前の構成として、系統（ポート）番号「２」に該当する第２の幹線Ｌ２には、複数の分岐器４Ａ、４Ｂ、４Ｃ、４Ｄ、４Ｅ、４Ｆ、４Ｇ、４Ｈ、４Ｉのうち、制御装置５寄りの最前段から最後段までの順で（３台の）分岐器４Ｄ、４Ｅ、４Ｆが接続されているものとする。ここで、分岐器４Ｄ、４Ｅ、４Ｆにおいて制御装置５寄りの第２の幹線Ｌ２は第１の分岐器ポートＰ４１に接続され、分岐器４Ｄ、４Ｅにおいて後段側の第２の幹線Ｌ２は第３の分岐器ポートＰ４３に接続され、分岐器４Ｆの第２の分岐器ポートＰ４２及（隣接する）分岐器４Ｉの第４の分岐器ポートＰ４４間は相互にライン接続（符号は付与・図示せず）されているものとする。
【００２７】
さらに、同様な初期起動前の構成として、系統（ポート）番号「３」に該当する第３の幹線Ｌ３には、複数の分岐器４Ａ、４Ｂ、４Ｃ、４Ｄ、４Ｅ、４Ｆ、４Ｇ、４Ｈ、４Ｉのうち、制御装置５寄りの最前段から最後段までの順で（２台の）分岐器４Ｇ、４Ｈが接続されているものとする。ここで、分岐器４Ｇ、４Ｈにおいて制御装置５寄りの第３の幹線Ｌ３は第１の分岐器ポートＰ４１に接続され、この分岐器４Ｇの第２の分岐器ポートＰ４２はモニタ端末２を経由して子機端末３に接続されているものとする。
【００２８】
なお、複数の分岐器４Ａ、４Ｂ、４Ｃ、４Ｄ、４Ｅ、４Ｆ、４Ｇ、４Ｈ、４Ｉが有する第１乃第４の分岐器ポートＰ４１、Ｐ４２、Ｐ４３、Ｐ４４にそれぞれ接続可能な複数の端末（カメラ端末、モニタ端末及び子機端末）１、２、３としては、前述のような初期起動前の構成態様に限定されるものではなく、任意の分岐器ポートに対してカメラ端末１のみの接続、モニタ端末２のみの接続、モニタ端末２を経由して子機端末３への接続等、多種・多様な態様の接続を適用することができる。
【００２９】
次に、複数の分岐器４Ａ、４Ｂ、４Ｃ、４Ｄ、４Ｅ、４Ｆ、４Ｇ、４Ｈ、４Ｉの具体的な構成について、図２（Ａ）のブロック図を参照して説明する。同図に示す分岐器４Ａ、４Ｂ、４Ｃ、４Ｄ、４Ｅ、４Ｆ、４Ｇ、４Ｈ、４Ｉには、前述の第１乃第４の分岐器ポートＰ４１、Ｐ４２、Ｐ４３、Ｐ４４と、上りポート／系統・ＩＤ番号管理部４０、複数のポートデータ通信部（以下、第１乃至第４のポートデータ通信部という）４１、４２、４３、４４、ポート情報管理部４５及びフレームバッファ部４６とが備えられている。
【００３０】
これら分岐器４Ａ、４Ｂ、４Ｃ、４Ｄ、４Ｅ、４Ｆ、４Ｇ、４Ｈ、４Ｉにおいて、上りポート／系統・ＩＤ番号管理部４０は、第１乃第４の分岐器ポートＰ４１、Ｐ４２、Ｐ４３、Ｐ４４に接続された機器が他の分岐器、制御装置５及び複数の端末（カメラ端末、モニタ端末及び子機端末）１、２、３のうち何れの機器であるかの機器情報を確認するための接続確認フレーム信号を生成するものである。また、第１乃至第４のポートデータ通信部４１、４２、４３、４４は、第１乃第４の分岐器ポートＰ４１、Ｐ４２、Ｐ４３、Ｐ４４毎に接続され、上りポート／系統・ＩＤ番号管理部４０で生成された接続確認フレーム信号を（ライン接続状態の）分岐器ポートＰ４１、Ｐ４２、Ｐ４３、Ｐ４４を経由して第１乃至第３の幹線Ｌ１、Ｌ２、Ｌ３にそれぞれ送出するとともに接続確認フレーム信号を受信した任意の機器から伝送されてくる接続応答データ信号を（接続確認フレーム信号を送出した）分岐器ポートＰ４１、Ｐ４２、Ｐ４３、Ｐ４４を経由して受信するものである。また、ポート情報管理部４５は、第１乃至第４のポートデータ通信部４１、４２、４３、４４で受信された接続応答データ信号をもとに任意の機器の機器情報について接続応答データ信号を受信した分岐器ポートＰ４１、Ｐ４２、Ｐ４３、Ｐ４４が有するポート番号「１」、「２」、「３」、「４」にそれぞれ対応させてポート情報として管理するものである。さらに、フレームバッファ部４６は、上りポート／系統・ＩＤ番号管理部４０に予め登録された機器情報を参照して第１乃至第４の分岐器ポートＰ４１、Ｐ４２、Ｐ４３、Ｐ４４のうち第１乃至第３の幹線Ｌ１、Ｌ２、Ｌ３をそれぞれ経由して伝送されてくる後述の最終ＩＤ番号フレーム信号を受信した当該ポートと上りポートを除く他のポートにそれぞれ接続されている機器が他の分岐器であったとき、最終ＩＤ番号フレーム信号を保存するものである。
【００３１】
なお、複数の分岐器４Ａ、４Ｂ、４Ｃ、４Ｄ、４Ｅ、４Ｆ、４Ｇ、４Ｈ、４Ｉにおいて、上りポート／系統・ＩＤ番号管理部４０、第１乃至第４のポートデータ通信部４１、４２、４３、４４、ポート情報管理部４５及びフレームバッファ部４６間はそれぞれ、相互に接続、例えば、ＬＡＮ等のバスラインで接続されている。
【００３２】
次に、制御装置５の具体的な構成について、図２（Ｂ）のブロック図を参照して説明する。同図に示す制御装置５には、複数のポート（以下、第１乃至第３の系統ポートという）Ｐ５１、Ｐ５２、Ｐ５３、系統・ＩＤ番号／ポート情報管理部５０及び複数の系統データ通信部（以下、第１乃至第３の系統データ通信部という）５１、５２、５３が備えられている。
【００３３】
この制御装置５において、第１乃至第３の系統ポートＰ５１、Ｐ５２、Ｐ５３は、リング状のポート番号としての系統番号「１」、「２」、「３」が割当てられており、第１乃至第３の幹線Ｌ１、Ｌ２、Ｌ３にそれぞれ接続されている。また、系統・ＩＤ番号／ポート情報管理部５０は、当該制御装置が管理を行う系統番号及びＩＤ番号を複数の分岐器４Ａ、４Ｂ、４Ｃ、４Ｄ、４Ｅ、４Ｆ、４Ｇ、４Ｈ、４Ｉにそれぞれ付与するための番号付与フレーム信号を生成するものである。また、第１乃至第３の系統データ通信部５１、５２、５３は、第１乃至第３の系統毎に設けられ第１乃至第３の系統ポートＰ５１、Ｐ５２、Ｐ５３にそれぞれ接続されており、系統・ＩＤ番号／ポート情報管理部５０で生成された番号付与フレーム信号を系統毎の幹線Ｌ１、Ｌ２、Ｌ３に送出するものである。なお、系統・ＩＤ番号／ポート情報管理部５０及び第１乃至第３の系統データ通信部５１、５２、５３間はそれぞれ、相互に接続、例えば、ＬＡＮ等のバスラインで接続されている。
【００３４】
このように構成された本発明のインターホンシステムにおいて、以下、具体的な動作について図７のフローチャート図を参照して説明する。なお、具体的な動作を説明するにあたり送受信される各種データ信号の図示については、図３乃至図６の模式説明図にのみ記載し、図１、図２（Ａ）、（Ｂ）においては省略するものとする。
『第１の動作』
本発明の実施例における第１の動作として、図１に示す構成のインターホンシステムを所定の建物内、例えば、マンション等の集合住宅に設置した後のタイミングであって、当該システムの初回起動前、例えば、電源投入時において、図２（Ａ）に示す複数の分岐器４Ａ、４Ｂ、４Ｃ、４Ｄ、４Ｅ、４Ｆ、４Ｇ、４Ｈ、４Ｉの上りポート／系統・ＩＤ番号管理部４０は、自分岐器の第１乃至第４の分岐器ポートＰ４１、Ｐ４２、Ｐ４３、Ｐ４４に接続されている機器が他の分岐器、制御装置５及び複数の端末（カメラ端末、モニタ端末、子機端末）１、２、３のうち何れの機器であるかの機器情報を確認するための接続確認フレーム信号（以下、当該信号の符号は不図示とする）をそれぞれ生成する。この接続確認フレーム信号は、上りポート／系統・ＩＤ番号管理部４０から第１乃至第４のポートデータ通信部４１、４２、４３、４４を経由して第１乃至第４の分岐器ポートＰ４１、Ｐ４２、Ｐ４３、Ｐ４４にそれぞれ伝送される。
【００３５】
ここで、複数の分岐器４Ａ、４Ｂ、４Ｃ、４Ｄ、４Ｅ、４Ｆ、４Ｇ、４Ｈ、４Ｉのうち、分岐器４Ａ、４Ｄ、４Ｇの第１の分岐器ポートＰ４１には、第１乃至第３の幹線Ｌ１、Ｌ２、Ｌ３、制御装置５の第１乃至第３の系統ポートＰ５１、Ｐ５２、Ｐ５３、図２（Ｂ）に示す第１乃至第３の系統データ通信部５１、５２、５３を経由して系統・ＩＤ番号／ポート番号管理部５０までの信号伝送路がそれぞれ形成されており、これらの信号伝送路を経由して接続確認フレーム信号を受信した系統・ＩＤ番号／ポート番号管理部５０は、自機器が制御装置５である旨の機器情報を付加した接続応答フレーム信号（以下、当該信号の符号は不図示とする）を生成し、受信した接続確認フレーム信号の信号伝送路と逆の経路を経由して送出する。ここまでの動作により、分岐器４Ａ、４Ｄ、４Ｇのポート情報管理部４５はそれぞれ、第１の分岐器ポートＰ４１を経由して第１のポートデータ通信部４１で受信された接続応答フレーム信号をもとに、第１の分岐器ポートＰ４１に接続されている機器が制御装置５である旨の機器情報を、第１の分岐器ポートＰ４１が有するポート番号「１」に割当てられたポート情報として登録することができる。
【００３６】
また、分岐器４Ａ、４Ｄ、４Ｇの第３の分岐器ポートＰ４３には、第１乃至第３の幹線Ｌ１、Ｌ２、Ｌ３、（直後段の）分岐器４Ｂ、４Ｅ、４Ｈの第１の分岐器ポートＰ４１、第１のポートデータ通信部４１を経由して上りポート／系統・ＩＤ番号管理部４０までの信号伝送路がそれぞれ形成されており、これらの信号伝送路を経由して接続確認フレーム信号を受信した上りポート／系統・ＩＤ番号管理部４０は、自機器が分岐器である旨の機器情報を付加した接続応答フレーム信号を生成し、受信した接続確認フレーム信号の信号伝送路と逆の経路を経由して送出する。ここまでの動作により、分岐器４Ａ、４Ｄ、４Ｇのポート情報管理部４５はそれぞれ、第３の分岐器ポートＰ４３を経由して第３のポートデータ通信部４３で受信された接続応答フレーム信号をもとに、第３の分岐器ポートＰ４３に接続されている機器が他の分岐器である旨の機器情報を、第３の分岐器ポートＰ４３が有するポート番号「３」に割当てられたポート情報として登録することができる。
【００３７】
なお、分岐器４Ａ、４Ｄ、４Ｇの第２、第４の分岐器ポートＰ４２、Ｐ４４にはそれぞれ、図１に示すように接続機器が何ら存在しないため、第２、第４のポートデータ通信部４２、４４で接続応答フレーム信号が受信されることもなく、ゆえに、（機器情報としての）ポート情報がポート情報管理部４５に登録されることもない。
【００３８】
次に、複数の分岐器４Ａ、４Ｂ、４Ｃ、４Ｄ、４Ｅ、４Ｆ、４Ｇ、４Ｈ、４Ｉのうち、分岐器４Ｂ、４Ｅ、４Ｈの第１の分岐器ポートＰ４１には、第１乃至第３の幹線Ｌ１、Ｌ２、Ｌ３、（直前段の）分岐器４Ａ、４Ｄ、４Ｇの第３の分岐器ポートＰ４３、第３のポートデータ通信部４３を経由して上りポート／系統・ＩＤ番号管理部４０までの信号伝送路がそれぞれ形成されており、これらの信号伝送路を経由して接続確認フレーム信号を受信した上りポート／系統・ＩＤ番号管理部４０は、自機器が分岐器である旨の機器情報を付加した接続応答フレーム信号を生成し、受信した接続確認フレーム信号の信号伝送路と逆の経路を経由して送出する。ここまでの動作により、分岐器４Ｂ、４Ｅ、４Ｈのポート情報管理部４５はそれぞれ、第１の分岐器ポートＰ４１を経由して第１のポートデータ通信部４１で受信された接続応答フレーム信号をもとに、第１の分岐器ポートＰ４１に接続されている機器が他の分岐器である旨の機器情報を、第１の分岐器ポートＰ４１が有するポート番号「１」に割当てられたポート情報として登録することができる。
【００３９】
また、分岐器４Ｂ、４Ｅの第３の分岐器ポートＰ４３には、第１、第２の幹線Ｌ１、Ｌ２、（直後段の）分岐器４Ｃ、４Ｆの第１の分岐器ポートＰ４１、第１のポートデータ通信部４１を経由して上りポート／系統・ＩＤ番号管理部４０までの信号伝送路が形成されており、これらの信号伝送路を経由して接続確認フレーム信号を受信した上りポート／系統・ＩＤ番号管理部４０は、自機器が分岐器である旨の機器情報を付加した接続応答フレーム信号を生成し、受信した接続確認フレーム信号の信号伝送路と逆の経路を経由して送出する。ここまでの動作により、分岐器４Ｂ、４Ｅのポート情報管理部４５はそれぞれ、第３の分岐器ポートＰ４３を経由して第３のポートデータ通信部４３で受信された接続応答フレーム信号をもとに、第３の分岐器ポートＰ４３に接続されている機器が他の分岐器である旨の機器情報を、第３の分岐器ポートＰ４３が有するポート番号「３」に割当てられたポート情報として登録することができる。
【００４０】
さらに、分岐器４Ｈの第２の分岐器ポートＰ４２には、モニタ端末２までの信号伝送路が形成されており、このモニタ端末２は、分岐器４Ｈの上りポート／系統・ＩＤ番号管理部４０から前述の信号伝送路を経由して伝送されてくる接続確認フレーム信号を受信すると、自機器がモニタ端末２である旨の機器情報を付加した接続応答フレーム信号を生成し、受信した接続確認フレーム信号の信号伝送路と逆の経路を経由して送出する。ここまでの動作により、分岐器４Ｈのポート情報管理部４５は、第２の分岐器ポートＰ４２を経由して第２のポートデータ通信部４２で受信された接続応答フレーム信号をもとに、第２の分岐器ポートＰ４２に接続されている機器がモニタ端末２である旨の機器情報を、第２の分岐器ポートＰ４２が有するポート番号「２」に割当てられたポート情報として登録することができる。
【００４１】
なお、分岐器４Ｂ、４Ｅの第２、第４の分岐器ポートＰ４２、Ｐ４４にはそれぞれ、図１に示すように接続機器が何ら存在しないため、第２、第４のポートデータ通信部４２、４４で接続応答フレーム信号が受信されることもなく、ゆえに、（機器情報としての）ポート情報がポート情報管理部４５に登録されることもない。
【００４２】
次に、複数の複数の分岐器４Ａ、４Ｂ、４Ｃ、４Ｄ、４Ｅ、４Ｆ、４Ｇ、４Ｈ、４Ｉのうち、分岐器４Ｃ、４Ｆの第１の分岐器ポートＰ４１には、第１、第２の幹線Ｌ１、Ｌ２、（直前段の）分岐器４Ｂ、４Ｅの第３の分岐器ポートＰ４３、第３のポートデータ通信部４３を経由して上りポート／系統・ＩＤ番号管理部４０までの信号伝送路が形成されており、これらの信号伝送路を経由して接続確認フレーム信号を受信した上りポート／系統・ＩＤ番号管理部４０は、自機器が分岐器である旨の機器情報を付加した接続応答フレーム信号を生成し、受信した接続確認フレーム信号の信号伝送路と逆の経路を経由して送出する。ここまでの動作により、分岐器４Ｃ、４Ｆのポート情報管理部４５はそれぞれ、第１の分岐器ポートＰ４１を経由して第１のポートデータ通信部４１で受信された接続応答フレーム信号をもとに、第１の分岐器ポートＰ４１に接続されている機器が他の分岐器である旨の機器情報を、第１の分岐器ポートＰ４１が有するポート番号「１」に割当てられたポート情報として登録することができる。
【００４３】
また、分岐器４Ｃの第２の分岐器ポートＰ４２には、ライン接続された分岐器４Ｆの第４の分岐器ポートＰ４４、第４のポートデータ通信部４４を経由して上りポート／系統・ＩＤ番号管理部４０までの信号伝送路が形成されており、この信号伝送路を経由して接続確認フレーム信号を受信した上りポート／系統・ＩＤ番号管理部４０は、自機器が分岐器である旨の機器情報を付加した接続応答フレーム信号を生成し、受信した接続確認フレーム信号の信号伝送路と逆の経路を経由して送出する。ここまでの動作により、分岐器４Ｃのポート情報管理部４５は、第２の分岐器ポートＰ４２を経由して第２のポートデータ通信部４２で受信された接続応答フレーム信号をもとに、第２の分岐器ポートＰ４２に接続されている機器が他の分岐器である旨の機器情報を、第２の分岐器ポートＰ４２が有するポート番号「２」に割当てられたポート情報として登録することができる。
【００４４】
また、分岐器４Ｃの第３の分岐器ポートＰ４３には、カメラ端末１までの信号伝送路が成されており、このカメラ端末１は、分岐器４Ｃの上りポート／系統・ＩＤ番号管理部４０から前述の信号伝送路を経由して伝送されてくる接続確認フレーム信号を受信すると、自機器がカメラ端末１である旨の機器情報を付加した接続応答フレーム信号を生成し、受信した接続確認フレーム信号の信号伝送路と逆の経路を経由して送出する。ここまでの動作により、分岐器４Ｃのポート情報管理部４５は、第３の分岐器ポートＰ４３を経由して第３のポートデータ通信部４３で受信された接続応答フレーム信号をもとに、第３の分岐器ポートＰ４３に接続されている機器がカメラ端末１である旨の機器情報を、第３の分岐器ポートＰ４３が有するポート番号「３」に割当てられたポート情報として登録することができる。
【００４５】
また、分岐器４Ｆの第２の分岐器ポートＰ４２には、ライン接続された分岐器４Ｉの第４の分岐器ポートＰ４４、第４のポートデータ通信部４４を経由して上りポート／系統・ＩＤ番号管理部４０までの信号伝送路が形成されており、この信号伝送路を経由して接続確認フレーム信号を受信した上りポート／系統・ＩＤ番号管理部４０は、自機器が分岐器である旨の機器情報を付加した接続応答フレーム信号を生成し、受信した接続確認フレーム信号の信号伝送路と逆の経路を経由して送出する。ここまでの動作により、分岐器４Ｆのポート情報管理部４５は、第２の分岐器ポートＰ４２を経由して第２のポートデータ通信部４２で受信された接続応答フレーム信号をもとに、第２の分岐器ポートＰ４２に接続されている機器が他の分岐器である旨の機器情報を、第２の分岐器ポートＰ４２が有するポート番号「２」に割当てられたポート情報として登録することができる。
【００４６】
また、分岐器４Ｆの第４の分岐器ポートＰ４４には、ライン接続された分岐器４Ｃの第２の分岐器ポートＰ４２、第２のポートデータ通信部４２を経由して上りポート／系統・ＩＤ番号管理部４０までの信号伝送路が形成されており、この信号伝送路を経由して接続確認フレーム信号を受信した上りポート／系統・ＩＤ番号管理部４０は、自機器が分岐器である旨の機器情報を付加した接続応答フレーム信号を生成し、受信した接続確認フレーム信号の信号伝送路と逆の経路を経由して送出する。ここまでの動作により、分岐器４Ｆのポート情報管理部４５は、第４の分岐器ポートＰ４４を経由して第４のポートデータ通信部４４で受信された接続応答フレーム信号をもとに、第４の分岐器ポートＰ４４に接続されている機器が他の分岐器である旨の機器情報を、第４の分岐器ポートＰ４４が有するポート番号「４」に割当てられたポート情報として登録することができる。
【００４７】
さらに、分岐器４Ｉの第４の分岐器ポートＰ４４には、ライン接続された分岐器４Ｆの第２の分岐器ポートＰ４２、第２のポートデータ通信部４２を経由して上りポート／系統・ＩＤ番号管理部４０までの信号伝送路が形成されており、この信号伝送路を経由して接続確認フレーム信号を受信した上りポート／系統・ＩＤ番号管理部４０は、自機器が分岐器である旨の機器情報を付加した接続応答フレーム信号を生成し、受信した接続確認フレーム信号の信号伝送路と逆の経路を経由して送出する。ここまでの動作により、分岐器４Ｉのポート情報管理部４５は、第４の分岐器ポートＰ４４を経由して第４のポートデータ通信部４４で受信された接続応答フレーム信号をもとに、第４の分岐器ポートＰ４４に接続されている機器が他の分岐器である旨の機器情報を、第４の分岐器ポートＰ４４が有するポート番号「４」に割当てられたポート情報として登録することができる。
【００４８】
なお、分岐器４Ｃの第４の分岐器ポートＰ４４、分岐器４Ｆの第３の分岐器ポートＰ４３、分岐器４Ｉの第１乃至第３の分岐器ポートＰ４１、Ｐ４２、４３にはそれぞれ、図１に示すように接続機器が何ら存在しないため、それぞれのポートデータ通信部４１、４２、４３、４４で接続応答フレーム信号が受信されることもなく、ゆえに、（機器情報としての）ポート情報がポート情報管理部４５に登録されることもない。
『第２の動作』
次に、本発明の実施例における第２の動作について図７のフローチャート図を参照して説明するにあたり、前述の第１の動作後のタイミングであって図１に示す構成のインターホンシステムの初回起動前、例えば、電源投入時において、図３の模式説明図に示すように、制御装置５の系統・ＩＤ番号／ポート情報管理部５０におけるテーブルＴ５０の登録内容であって、前述のポート（幹線）番号「１」、「２」、「３」にそれぞれ割当てられる系統番号に対応する情報として、自系統に該当する分岐器の台数に対応する最終ＩＤ番号と、自系統内における何れかの分岐器が有する何れかのポートに何れの機器が接続されているかを示すポート接続情報が登録状態ではない、すなわち、「未登録」である場合において、制御装置５の系統・ＩＤ番号／ポート番号管理部５０は、第１乃至第３の系統ポートＰ５１、Ｐ５２、Ｐ５３を経由して第１乃至第３の幹線Ｌ１、Ｌ２、Ｌ３にそれぞれ接続される第１乃至第３の系統データ通信部５１、５２、５３に対して同時のタイミングで、自制御装置５が管理を行うためのＩＤ番号を付与する当該信号であって系統番号「１」、「２」、「３」がそれぞれ付加された番号付与フレーム信号（以下、第１乃至第３の系統番号付与フレーム信号という）Ｓ１、Ｓ２、Ｓ３を生成する。
【００４９】
ここで、制御装置５の系統・ＩＤ番号／ポート番号管理部５０で生成された第１乃至第３の系統番号付与フレーム信号Ｓ１、Ｓ２、Ｓ３にはそれぞれ、その信号を構成するＩＤ番号として例えば、初期値「１」が付加されており、第１の系統番号付与フレーム信号Ｓ１は、系統・ＩＤ番号／ポート番号管理部５０から第１の系統データ通信部５１、第１の系統ポートＰ５１、第１の幹線Ｌ１、分岐器４Ａの第１の分岐器ポートＰ４１、第１のポートデータ通信部４１を経由して上りポート／系統・ＩＤ番号管理部４０に伝送される（ステップＳＴ１）。また、第２の系統番号付与フレーム信号Ｓ２は、系統・ＩＤ番号／ポート番号管理部５０から第２の系統データ通信部５２、第２の系統ポートＰ５２、第２の幹線Ｌ２、分岐器４Ｄの第１の分岐器ポートＰ４１、第１のポートデータ通信部４１を経由して上りポート／系統・ＩＤ番号管理部４０に伝送される（ステップＳＴ１）。さらに、第３の系統番号付与フレーム信号Ｓ３は、系統・ＩＤ番号／ポート番号管理部５０から第３の系統データ通信部５３、第３の系統ポートＰ５３、第３の幹線Ｌ３、分岐器４Ｇの第１の分岐器ポートＰ４１、第１のポートデータ通信部４１を経由して上りポート／系統・ＩＤ番号管理部４０に伝送される（ステップＳＴ１）。
【００５０】
分岐器４Ａ、４Ｄ、４Ｇの上りポート／系統・ＩＤ番号管理部４０はそれぞれ、図４の模式説明図に示すように、そのテーブルＴ４０の登録内容であって、第１乃至第３の系統番号付与フレーム信号Ｓ１、Ｓ２、Ｓ３を受信した第１のポートデータ通信部４１が接続されている第１の分岐器ポートＰ４１を「上りポート」として、そのポート番号「１」に割当ててテーブルＴ４０に登録するとともに（ステップＳＴ２、ＳＴ３）、受信された第１乃至第３の系統番号付与フレーム信号Ｓ１、Ｓ２、Ｓ３を構成するＩＤ番号「１」を自分岐器４Ａ、４Ｄ、４Ｇに割当てられる当該ＩＤ番号として、それぞれの系統番号「１」、「２」、「３」とともにテーブルＴ４０に登録する（ステップＳＴ３）。この後、上りポート／系統・ＩＤ番号管理部４０はそれぞれ、登録済みの系統番号「１」、「２」、「３」及びＩＤ番号「１」とポート情報管理部４５から読出した自分岐器におけるポート情報を付加した登録完了フレーム信号Ｓ１０ａ、Ｓ２０ｄ、Ｓ３０ｇを生成する。これらの登録完了フレーム信号Ｓ１０ａ、Ｓ２０ｄ、Ｓ３０ｇは、上りポート／系統・ＩＤ番号管理部４０から「上りポート」として登録された第１の分岐器ポートＰ４１に接続されている第１のポートデータ通信部Ｐ４１、第１の分岐器ポートＰ４１を経由して第１乃至第３の幹線Ｌ１、Ｌ２、Ｌ３にそれぞれ送出されるように、第１乃至第３の幹線Ｌ１、Ｌ２、Ｌ３、制御装置５の第１乃至第３の系統ポートＰ５１、Ｐ５２、Ｐ５３、第１乃至第３の系統データ通信部５１、５２、５３をそれぞれ経由して系統・ＩＤ番号／ポート情報管理部５０に伝送される（ステップＳＴ４、ＳＴ７、ＳＴ８）。
【００５１】
また、分岐器４Ａ、４Ｄ、４Ｇの上りポート／系統／ＩＤ番号管理部４０はそれぞれ、ポート情報管理部４５から読出したポート情報をもとに他の分岐器が接続されていることを確認し（ステップＳＴ５）、受信された第１乃至第３の系統番号付与フレーム信号Ｓ１、Ｓ２、Ｓ３を構成するＩＤ番号「１」に、所定値である例えば、「１」を加えた当該ＩＤ番号「２」と前述の系統番号「１」、「２」、「３」を付加した第１乃至第３の系統番号付与フレーム信号Ｓ１ａ、Ｓ２ｄ、Ｓ３ｇを生成し、他の分岐器が接続されている分岐器ポートに接続された当該ポートデータ通信部に送出する（ステップＳＴ６）。ここでは、第３の分岐器ポートＰ４３にそれぞれ他の分岐器が接続されているため、上りポート／系統・ＩＤ番号管理部４０で生成された第１乃至第３の系統番号付与フレーム信号Ｓ１ａ、Ｓ２ｄ、Ｓ３ｇは、第３のポートデータ通信部４３、第３の分岐器ポートＰ４３、第１乃至第３の幹線Ｌ１、Ｌ２、Ｌ３、他の分岐器である（直後段の）分岐器４Ｂ、４Ｅ、４Ｈの第１の分岐器ポートＰ４１、第１のポートデータ通信部４１を経由して上りポート／系統・ＩＤ番号管理部４０に伝送される。
【００５２】
分岐器４Ｂ、４Ｅ、４Ｈの上りポート／系統・ＩＤ番号管理部４０はそれぞれ、第１乃至第３の系統番号付与フレーム信号Ｓ１ａ、Ｓ２ｄ、Ｓ３ｇを受信した第１のポートデータ通信部４１が接続されている第１の分岐器ポートＰ４１を「上りポート」として、そのポート番号「１」に割当ててテーブルＴ４０に登録するとともに（ステップＳＴ２、ＳＴ３）、受信された第１乃至第３の系統番号付与フレーム信号Ｓ１ａ、Ｓ２ｄ、Ｓ３ｇを構成するＩＤ番号「２」を自分岐器４Ｂ、４Ｅ、４Ｈに割当てられる当該ＩＤ番号として、それぞれの系統番号「１」、「２」、「３」とともにテーブルＴ４０に登録する（ステップＳＴ３）。この後、上りポート／系統・ＩＤ番号管理部４０はそれぞれ、登録済みの系統番号「１」、「２」、「３」及びＩＤ番号「２」とポート情報管理部４５から読出した自分岐器におけるポート情報を付加した登録完了フレーム信号Ｓ１０ｂ、Ｓ２０ｅ、Ｓ３０ｈを生成する。これらの登録完了フレーム信号Ｓ１０ｂ、Ｓ２０ｅ、Ｓ３０ｈは、上りポート／系統・ＩＤ番号管理部４０から「上りポート」として登録された第１の分岐器ポートＰ４１に接続されている第１のポートデータ通信部４１、第１の分岐器ポートＰ４１、第１乃至第３の幹線Ｌ１、Ｌ２、Ｌ３にそれぞれ送出され、（直前段の）分岐器４Ａ、４Ｄ、４Ｇの第３の分岐器ポートＰ４３、第３のポートデータ通信部４３、第１のポートデータ通信部４１、上りポート／系統・ＩＤ番号管理部４０、第１の分岐器ポートＰ４１、第１乃至第３の幹線Ｌ１、Ｌ２、Ｌ３、制御装置５の第１乃至第３の系統ポートＰ５１、Ｐ５２、Ｐ５３、第１乃至第３の系統データ通信部５１、５２、５３をそれぞれ経由して系統／ＩＤ番号／ポート情報管理部５０に伝送される（ステップＳＴ４、ＳＴ７、ＳＴ８）。
【００５３】
また、分岐器４Ｂ、４Ｅの上りポート／系統・ＩＤ番号管理部４０はそれぞれ、ポート情報管理部４５から読出したポート情報をもとに他の分岐器が接続されていることを確認し（ステップＳＴ５）、受信された第１、第２の系統番号付与フレーム信号Ｓ１ａ、Ｓ２ｄを構成するＩＤ番号「２」に、所定値である例えば、「１」を加えた当該ＩＤ番号「３」と前述の系統番号「１」、「２」を付加した第１、第２の系統番号付与フレーム信号Ｓ１ｂ、Ｓ２ｅを生成し、他の分岐器が接続されている分岐器ポートに接続された当該ポートデータ通信部に送出する（ステップＳＴ６）。ここでは、第３の分岐器ポートＰ４３にそれぞれ他の分岐器が接続されているため、上りポート／系統・ＩＤ番号管理部４０で生成された第１、第２の系統番号付与フレーム信号Ｓ１ｂ、Ｓ２ｅは、第３のポートデータ通信部４３、第３の分岐器ポートＰ４３、第１、第２の幹線Ｌ１、Ｌ２、他の分岐器である（直後段の）分岐器４Ｃ、４Ｆの第１の分岐器ポートＰ４１、第１のポートデータ通信部４１を経由して上りポート／系統・ＩＤ番号管理部４０に伝送される。
【００５４】
なお、分岐器４Ｈの上りポート／系統・ＩＤ番号管理部４０は、第３の系統番号付与フレーム信号Ｓ３ｇを受信したとき、ポート情報管理部４５に登録されているポート情報を参照し、他の分岐器が接続されている当該分岐器ポートがないことから、第３の系統における最終の当該分岐器であり、登録済みのＩＤ番号「２」が付加された最終ＩＤ番号フレーム信号Ｓ３００ｈを生成する。この最終ＩＤ番号フレーム信号Ｓ３００ｈは、前述の登録完了フレーム信号Ｓ３ｇと同一の信号伝送路を経由して制御装置５の系統・ＩＤ番号／ポート番号管理部５０に伝送される（ステップＳＴ９、ＳＴ１１、ＳＴ１２）。
【００５５】
分岐器４Ｃ、４Ｆの上りポート／系統・ＩＤ番号管理部４０はそれぞれ、第１、第２の系統番号付与フレーム信号Ｓ１ｂ、Ｓ２ｅを受信した第１のポートデータ通信部４１が接続されている第１の分岐器ポートＰ４１を「上りポート」として、そのポート番号「１」に割当ててテーブルＴ４０に登録するとともに（ステップＳＴ２、ＳＴ３）、受信された第１、第２の系統番号付与フレーム信号Ｓ１ｂ、Ｓ２ｅを構成するＩＤ番号「３」を自分岐器４Ｃ、４Ｆに割当てられる当該ＩＤ番号として、それぞれの系統番号「１」、「２」とともにテーブル４０に登録する（ステップＳＴ３）。この後、上りポート／系統・ＩＤ番号管理部４０はそれぞれ、登録済みの系統番号「１」、「２」及びＩＤ番号「３」とポート情報管理部４５から読出した自分岐器におけるポート情報を付加した登録完了フレーム信号Ｓ１０ｃ、Ｓ２０ｆを生成する。これらの登録完了フレーム信号Ｓ１０ｃ、Ｓ２０ｆは、上りポート／系統・ＩＤ番号管理部４０から「上りポート」として登録された第１の分岐器ポートＰ４１に接続されている第１のポートデータ通信部４１、第１の分岐器ポートＰ４１、第１、第２の幹線Ｌ１、Ｌ２にそれぞれ送出され、（直前段の）分岐器４Ｂ、４Ｅの第３の分岐器ポートＰ４３、第３のポートデータ通信部４３、上りポート／系統・ＩＤ番号管理部４０、第１のポートデータ通信部４１、第１の分岐器ポートＰ４１、第１、第２の幹線Ｌ１、Ｌ２、分岐器４Ａ、４Ｄの第３の分岐器ポートＰ４３、第３のポートデータ通信部４３、上りポート／系統・ＩＤ番号管理部４０、第１のポートデータ通信部４１、第１の分岐器ポートＰ４１、第１、第２の幹線Ｌ１、Ｌ２、制御装置５の第１、第２の系統ポートＰ５１、Ｐ５２、第１、第２の系統データ通信部５１、５２をそれぞれ経由して系統・ＩＤ番号／ポート情報管理部５０に伝送される（ステップＳＴ４、ＳＴ７、ＳＴ８）。
【００５６】
また、分岐器４Ｃ、４Ｆの上りポート／系統・ＩＤ番号管理部４０はそれぞれ、ポート情報管理部４５から読出したポート情報をもとに他の分岐器が接続されていることを確認し（ステップＳＴ５）、受信された第１、第２の系統番号付与フレーム信号Ｓ１ｂ、Ｓ２ｅを構成するＩＤ番号「３」に、所定値である例えば、「１」を加えた当該ＩＤ番号「４」と前述の系統番号「１」、「２」を付加した第１、第２の系統番号付与フレーム信号Ｓ１ｃ、Ｓ２ｆを生成し、他の分岐器が接続されている当該分岐器ポートに接続された当該ポートデータ通信部に送出する（ステップＳＴ６）。
【００５７】
ここで、分岐器４Ｆの上りポート／系統・ＩＤ番号管理部４０は、分岐器４Ｃの上りポート／系統・ＩＤ番号管理部４０から第２のポートデータ通信部４２、第２の分岐器ポートＰ４２、第４の分岐器ポートＰ４４、第４のポートデータ通信部４４を経由して伝送されてきた第１の系統番号付与フレーム信号Ｓ１ｃを受信したとき、前述のように、テーブルＴ４０の登録内容として上りポート番号「１」、系統番号「２」及びＩＤ番号「３」が登録済みであることを検出する。この上りポート／系統・ＩＤ番号管理部４０は、自分岐器４Ｆへの各種データが登録済みである旨の登録拒否フレーム信号Ｓ２００ｆを生成し、前述の第１の系統番号付与フレーム信号Ｓ１ｃを受信した第４のポートデータ通信部４４から第４の分岐器ポートＰ４４、分岐器４ｃの第２の分岐器ポートＰ４２、第２のポートデータ通信部４２を経由して上りポート／系統・ＩＤ番号管理部４０に送出する（ステップＳＴ７、ＳＴ１０）。
【００５８】
分岐器４Ｃの上りポート／系統・ＩＤ番号管理部４０は、分岐器４Ｆの上りポート／系統・ＩＤ番号管理部４０からの登録拒否フレーム信号Ｓ２００ｆを受信すると、この登録拒否フレーム信号Ｓ２００ｆが受信された第２の分岐器ポートＰ４２を登録するとともに、第１の系統における最終の当該分岐器であり、登録済みのＩＤ番号「３」を付加した最終ＩＤ番号フレーム信号Ｓ１００ｃを生成する。この最終ＩＤ番号フレーム信号Ｓ１００ｃは、前述の登録完了フレーム信号Ｓ１０ｃと同一の信号伝送路を経由して制御装置５の系統・ＩＤ番号／ポート番号管理部５０に伝送される（ステップＳＴ９、ＳＴ１１、ＳＴ１２）。
【００５９】
分岐器４Ｉの上りポート／系統・ＩＤ番号管理部４０は、分岐器４Ｆの上りポート／系統・ＩＤ番号管理部４０から第２のポートデータ通信部４２、第２の分岐器ポートＰ４２、第４の分岐器ポートＰ４４、第４のポートデータ通信部４４を経由して伝送されてきた第２の系統番号付与フレーム信号Ｓ２ｆを受信すると、第４の分岐器ポートＰ４４を「上りポート」として、そのポート番号「４」に割当ててテーブルＴ４０に登録するとともに（ステップＳＴ２、ＳＴ３）、受信された第２の系統番号付与フレーム信号Ｓ２ｆを構成するＩＤ番号「４」を自分岐器４Ｉに割当てられる当該ＩＤ番号として、系統番号「２」とともにテーブルＴ４０に登録する（ステップＳＴ３）。この後、上りポート／系統・ＩＤ番号管理部４０は、登録済みの系統番号「２」及びＩＤ番号「４」とポート情報管理部４５から読出した自分岐器におけるポート情報を付加した登録完了フレーム信号Ｓ２０ｉを生成する。この登録完了フレーム信号Ｓ２０ｉは、上りポート／系統・ＩＤ番号管理部４０から「上りポート」として登録された第４の分岐器ポートＰ４４に接続されている第４のポートデータ通信部４４、第４の分岐器ポートＰ４４、分岐器４Ｆの第２の分岐器ポートＰ４２、第２のポートデータ通信部４２、上りポート／系統・ＩＤ番号管理部４０、第１のポートデータ通信部４１、第１の分岐器ポートＰ４１、第２の幹線Ｌ２、分岐器４Ｅの第３の分岐器ポートＰ４３、第３のポートデータ通信部４３、上りポート／系統・ＩＤ番号管理部４０、第１のポートデータ通信部４１、第１の分岐器ポートＰ４１、第２の幹線Ｌ２、分岐器４Ｄの第３の分岐器ポートＰ４３、第３のポートデータ通信部４３、上りポート／系統・ＩＤ番号管理部４０、第１のポートデータ通信部４１、第１の分岐器ポートＰ４１、第２の幹線Ｌ２、制御装置５の第２の系統ポートＰ５２、第２の系統データ通信部５２を経由して系統・ＩＤ番号／ポート情報管理部５０に伝送される（ステップＳＴ４、ＳＴ７、ＳＴ８）。
【００６０】
なお、分岐器４Ｉの上りポート／系統・ＩＤ番号管理部４０は、第２の系統番号付与フレーム信号Ｓ２ｆを受信したとき、ポート情報管理部４５に登録されているポート情報を参照し、他の分岐器が接続されている当該分岐器ポートがないことから、第２の系統における最終の当該分岐器であり、登録済みのＩＤ番号「４」を付加した最終ＩＤ番号フレーム信号Ｓ２００ｉを生成する。この最終ＩＤ番号フレーム信号Ｓ２００ｉは、前述の登録完了フレーム信号Ｓ２０ｉと同一の信号伝送路を経由して制御装置５の系統・ＩＤ番号／ポート番号管理部５０に伝送される（ステップＳＴ９、ＳＴ１１、ＳＴ１２）。
【００６１】
前述までのデータ信号の伝送後のタイミングにおいて、制御装置５の系統・ＩＤ番号／ポート番号管理部５０によれば、第１の系統データ通信部５１で受信された登録完了フレーム信号Ｓ１０ａ、Ｓ１０ｂ、Ｓ１０ｃ及び最終ＩＤ番号フレーム信号Ｓ１００ｃと、第２の系統データ通信部５２で受信された登録完了フレーム信号Ｓ２０ｄ、Ｓ２０ｅ、Ｓ２０ｆ、Ｓ２０ｉ及び最終ＩＤ番号フレーム信号Ｓ２００ｉと、第３の系統データ通信部５３で受信された登録完了フレーム信号Ｓ３０ｇ、Ｓ３０ｈ及び最終ＩＤ番号フレーム信号Ｓ３００ｈをもとに、テーブルＴ５０の登録内容を更新することで、（１）系統（ポート）番号「１」に該当する最終ＩＤ番号は「３」、すなわち、第１の幹線Ｌ１には３台の分岐器４Ａ、４Ｂ、４Ｃが順次接続され、このうち分岐器４Ｃの第３の分岐器ポートＰ４３にカメラ端末１が接続されていること（ポート接続情報）、（２）系統（ポート）番号「２」に該当する最終ＩＤ番号は「４」、すなわち、第２の幹線Ｌ２には４台の分岐器４Ｄ、４Ｅ、４Ｆ、４Ｉが順次接続されていること、（３）系統（ポート番号）番号「３」に該当する最終ＩＤ番号は「２」、すなわち、第３の幹線Ｌ３には２台の分岐器４Ｇ、４Ｈが順次接続され、このうち分岐器４Ｈの第２の分岐器ポートＰ４２にモニタ端末２が接続されていること（ポート接続情報）、がそれぞれ初期登録されることになる（ステップＳＴ１８）。
【００６２】
ここで、前述のような初期登録後における具体的な動作として、カメラ端末１で生成されるデータ信号、例えば、映像データ及び音声データが付加された映像・音声フレーム信号（以下、当該信号の符号は不図示とする）は、分岐器４Ｃの第３の分岐器ポートＰ４３、第３のポートデータ通信部４３、上りポート／系統・ＩＤ番号管理部４０、第１のポートデータ通信部４１、第１の分岐器ポートＰ４１、第１の幹線Ｌ１、分岐器４Ｂの第３の分岐器ポートＰ４３、第３のポートデータ通信部４３、上りポート／系統・ＩＤ番号管理部４０、第１のポートデータ通信部４１、第１の分岐器ポートＰ４１、第１の幹線Ｌ１、制御装置５の第１の系統ポートＰ５１、第１の系統データ通信部５１、系統・ＩＤ番号／ポート番号管理部５０、第３の系統データ通信部５３、第３の系統ポートＰ５３、第３の幹線Ｌ３、分岐器４Ｇの第１の分岐器ポートＰ４１、第１のポートデータ通信部４１、上りポート／系統・ＩＤ番号管理部４０、第３のポートデータ通信部４３、第３の分岐器ポートＰ４３、第３の幹線Ｌ３、分岐器４Ｈの第１の分岐器ポートＰ４１、第１のポートデータ通信部４１、上りポート／系統・ＩＤ番号管理部４０、第２のポートデータ通信部４２、第２の分岐器ポートＰ４２を経由してモニタ端末２に伝送され映像データが出画されるばかりでなく、音声データについては、モニタ端末２での出力又はこのモニタ端末２を経由して子機端末３に転送することもできる。
『第３の動作』
次に、本発明の実施例における第３の動作について前述の第２の実施例と同様に図７のフローチャート図を参照して説明するにあたり、前述のような初回登録後のタイミングの動作であり、図２（Ａ）に示す分岐器４Ｂの第３のポートデータ通信部４３又は分岐器４Ｃの第１のポートデータ通信部４１に例えば、故障等が発生し、分岐器４Ｂの第３の分岐器ポートＰ４３及び分岐器４Ｃの第１の分岐器ポートＰ４１間を接続する第１の幹線Ｌ１が図５の模式説明図に示すように切断（接続断）されると、例えば、分岐器４Ｃの第３の分岐器ポートＰ４３に接続されているカメラ端末１で生成された映像・音声フレーム信号は、第３のポートデータ通信部４３から上りポート／系統・ＩＤ番号管理部４０、第１のポートデータ通信部４１を経由して第１の分岐器ポートＰ４１に送出できる一方、この分岐器ポートＰ４１から第１の幹線Ｌ１を経由して（直前段の）分岐器４Ｂに伝送することができず、ゆえに、制御装置５に対して伝送されることもないため、制御装置５からの出力信号も不達とされ、所謂、不達状態となる。
【００６３】
そこで、分岐器４Ｂの第３のポートデータ通信部４３は、前述の接続断を検出し、ＩＤ番号の再付与を要求するための通知フレーム信号（以下、第１の再付与要求通知フレーム信号という）Ｓ５０１ｂを生成する。この第１の再付与要求通知フレーム信号Ｓ５０１ｂは、複数の分岐器ポートＰ４１、Ｐ４２、Ｐ４３、Ｐ４４のうち上りポートとして設定されている優先接続順位に従い、その順位が高く設定された当該ポート、ここでは、上りポート／系統・ＩＤ番号管理部４０のテーブルＴ４０に上りポートとして登録された第２の分岐器ポートＰ４１から送出するべく、第３のポートデータ通信部４３から上りポート／系統・ＩＤ番号管理部４０、第１のポートデータ通信部４１、第１の分岐器ポートＰ４１、第１の幹線Ｌ１、分岐器４Ａの第３の分岐器ポートＰ４３、第３のポートデータ通信部４３、上りポート／系統・ＩＤ番号管理部４０、第１のポートデータ通信部４１、第１の分岐器ポートＰ４１、第１の幹線Ｌ１、制御装置５の第１の系統ポートＰ５１、第１の系統データ通信部５１を経由して系統・ＩＤ番号／ポート番号管理部５０に伝送される。
【００６４】
また、分岐器４Ｃの第１のポートデータ通信部４１についても前述の接続断を検出し、ＩＤ番号の再付与を要求するための通知フレーム信号（以下、第２の再付与要求通知フレーム信号という）Ｓ５０１ｃを生成する。この第２の再付与要求通知フレーム信号Ｓ５０１ｃは、複数の分岐器ポートＰ４１、Ｐ４２、Ｐ４３、Ｐ４４のうち上りポートとして設定されている優先接続順位に従い、その順位が高く設定された例えば、第２の分岐器ポートＰ４２を上りポートとして送出するべく、第１のポートデータ通信部４１から上りポート／系統・ＩＤ番号管理部４０、第２のポートデータ通信部４２、第２の分岐器ポートＰ４２、分岐器４Ｆの第４の分岐器ポートＰ４４、第４のポートデータ通信部４４、上りポート／系統・ＩＤ番号管理部４０、第１のポートデータ通信部４１、第１の分岐器ポートＰ４１、第２の幹線Ｌ２、分岐器４Ｅの第３の分岐器ポートＰ４３、第３のポートデータ通信部４３、上りポート／系統・ＩＤ番号管理部４０、第１のポートデータ通信部４１、第１の分岐器ポートＰ４１、第２の幹線Ｌ２、分岐器４Ｄの第３の分岐器ポートＰ４３、第３のポートデータ通信部４３、上りポート／系統・ＩＤ番号管理部４０、第１のポートデータ通信部４１、第１の分岐器ポートＰ４１、第２の幹線Ｌ２、制御装置５の第２の系統ポートＰ５２、第２の系統データ通信部５２を経由して系統・ＩＤ番号／ポート番号管理部５０に伝送される。
【００６５】
制御装置５の系統・ＩＤ番号／ポート番号管理部５０は、前述のような接続断を検出した分岐器４Ｂの第３のポートデータ通信部４３からの第１の再付与要求通知フレーム信号Ｓ５０１ｂ、分岐器４Ｃの第１のポートデータ通信部４１からの第２の再付与要求通知フレーム信号Ｓ５０１ｃをそれぞれ受信すると、図６の模式説明図に示すように、第１乃至第３の系統ポートＰ５１、Ｐ５２、Ｐ５３を経由して第１乃至第３の幹線Ｌ１、Ｌ２、Ｌ３にそれぞれ接続される第１乃至第３の系統データ通信部５１、５２、５３に対して同時のタイミングで、自制御装置５が管理を行うためのＩＤ番号を再付与する当該信号であって系統番号「１」、「２」、「３」がそれぞれ付加された番号再付与フレーム信号（以下、第１乃至第３の系統番号再付与フレーム信号という）Ｓ６０１、Ｓ６０２、Ｓ６０３を生成する。
【００６６】
ここで、制御装置５の系統・ＩＤ番号／ポート番号管理部５０で生成された第１乃至第３の系統番号再付与フレーム信号Ｓ６０１、Ｓ６０２、Ｓ６０３にはそれぞれ、その信号を構成するＩＤ番号として例えば、初期値「１」が付加されており、第１の系統番号再付与フレーム信号Ｓ６０１は、系統・ＩＤ番号／ポート番号管理部５０から第１の系統データ通信部５１、第１の系統ポートＰ５１、第１の幹線Ｌ１、分岐器４Ａの第１の分岐器ポートＰ４１、第１のポートデータ通信部４１を経由して上りポート／系統・ＩＤ番号管理部４０に伝送される（ステップＳＴ１）。また、第２の系統番号再付与フレーム信号Ｓ６０２は、系統・ＩＤ番号／ポート番号管理部５０から第２の系統データ通信部５２、第２の系統ポートＰ５２、第２の幹線Ｌ２、分岐器４Ｄの第１の分岐器ポートＰ４１、第１のポートデータ通信部４１を経由して上りポート／系統・ＩＤ番号管理部４０に伝送される（ステップＳＴ１）。さらに、第３の系統番号再付与フレーム信号Ｓ６０３は、系統・ＩＤ番号／ポート番号管理部５０から第３の系統データ通信部５３、第３の系統ポートＰ５３、第３の幹線Ｌ３、分岐器４Ｇの第１の分岐器ポートＰ４１、第１のポートデータ通信部４１を経由して上りポート／系統・ＩＤ番号管理部４０に伝送される（ステップＳＴ１）。
【００６７】
分岐器４Ａ、４Ｄ、４Ｇの上りポート／系統・ＩＤ番号管理部４０はそれぞれ、初期登録時におけるテーブルＴ４０の登録内容であって登録済みの系統番号及びＩＤ番号と、第１乃至第３の系統番号再付与フレーム信号Ｓ６０１、Ｓ６０２、Ｓ６０３に付加されている系統番号及びＩＤ番号とを比較する（ステップＳＴ２）。ここでは、それぞれの系統番号が「１」、「２」、「３」で、ＩＤ番号が「１」で一致しているため、前述のような登録完了フレーム信号Ｓ１０ａ、Ｓ２０ｄ、Ｓ３０ｇが上りポート／系統・ＩＤ番号管理部４０で生成されることはなく、ポート情報管理部４５から読出したポート情報をもとに他の分岐器が接続されていることを確認し（ステップＳＴ５）、受信された第１乃至第３の系統番号再付与フレーム信号Ｓ６０１、Ｓ６０２、Ｓ６０３を構成するＩＤ番号「１」に、所定値である例えば、「１」を加えた当該ＩＤ番号「２」と前述の系統番号「１」、「２」、「３」を付加した第１乃至第３の系統番号再付与フレーム信号Ｓ６０１ａ、Ｓ６０２ｄ、Ｓ６０３ｇが生成される（ステップＳＴ６）。また、第３の分岐器ポートＰ４３にそれぞれ他の分岐器が接続されているため、上りポート／系統・ＩＤ番号管理部４０で生成された第１乃至第３の系統番号再付与フレーム信号Ｓ６０１ａ、Ｓ６０２ｄ、Ｓ６０３ｇは、第３のポートデータ通信部４３、第３の分岐器ポートＰ４３、第１乃至第３の幹線Ｌ１、Ｌ２、Ｌ３、他の分岐器である（直後段の）分岐器４Ｂ、４Ｅ、４Ｈの第１の分岐器ポートＰ４１、第１のポートデータ通信部４１を経由して上りポート／系統・ＩＤ番号管理部４０に伝送される。
【００６８】
分岐器４Ｂ、４Ｈの上りポート／系統・ＩＤ番号管理部４０はそれぞれ、初期登録時におけるテーブルＴ４０の登録内容であって登録済みの系統番号及びＩＤ番号と、第１、第３の系統番号再付与フレーム信号Ｓ６０１ａ、Ｓ６０３ｇに付加されている系統番号及びＩＤ番号とを比較する（ステップＳＴ２）。ここでは、それぞれの系統番号が「１」、「３」で、ＩＤ番号が「２」で一致しているため、前述のような登録完了フレーム信号Ｓ１０ｂ、Ｓ３０ｈが上りポート／系統・ＩＤ番号管理部４０で生成されることはない。
【００６９】
ここで、分岐器４Ｂの上りポート／系統・ＩＤ番号管理部４０は、第１の系統番号再付与フレーム信号Ｓ６０１ａを受信したとき、前述の接続断により上ポートとして設定されている第１の分岐器ポートＰ４１に接続された分岐器４Ａ以外、他の分岐器が接続されている分岐器ポートがないことから、第１の系統における最終の当該分岐器であり、登録済みのＩＤ番号「２」を付加した最終ＩＤ番号フレーム信号Ｓ７０１ｂを生成する。この最終ＩＤ番号フレーム信号Ｓ７０１ｂは、前述の登録完了フレーム信号Ｓ１ｂと同一の信号伝送路を経由して制御装置５の系統・ＩＤ番号／ポート番号管理部５０に伝送される（ステップＳＴ９）。
【００７０】
また、分岐器４Ｈの上りポート／系統・ＩＤ番号管理部４０は、第３の系統番号再付与フレーム信号Ｓ６０３ｇを受信したとき、ポート情報管理部４５に登録されている機器情報を参照し、上ポートとして設定されている第１の分岐器ポートＰ４１に接続された分岐器４Ｇ以外、他の分岐器が接続されている分岐器ポートがないことから、第３の系統における最終の当該分岐器であり、登録済みのＩＤ番号「２」を付加した最終ＩＤ番号フレーム信号Ｓ７０３ｈを生成する。この最終ＩＤ番号フレーム信号Ｓ７０３ｈは、前述の登録完了フレーム信号Ｓ３００ｈと同一の信号伝送路を経由して制御装置５の系統・ＩＤ番号／ポート番号管理部５０に伝送される（ステップＳＴ９）。
【００７１】
分岐器４Ｅの上りポート／系統・ＩＤ番号管理部４０は、初期登録時におけるテーブルＴ４０の登録内容であって登録済みの系統番号及びＩＤ番号と、第２の系統番号再付与フレーム信号Ｓ６０２ｄに付加されている系統番号及びＩＤ番号とを比較する（ステップＳＴ２）。ここでは、系統番号が「２」で、ＩＤ番号が「２」で一致しているため、前述のような登録完了フレーム信号Ｓ２０ｅが上りポート／系統・ＩＤ番号管理部４０で生成されることはなく、ポート情報管理部４５から読出したポート情報をもとに他の分岐器が接続されていることを確認し（ステップＳＴ５）、受信された第２の系統番号再付与フレーム信号Ｓ６０２ｄを構成するＩＤ番号「２」に、所定値である例えば、「１」を加えた当該ＩＤ番号「３」と前述の系統番号「２」を付加した第２の系統番号再付与フレーム信号Ｓ６０２ｅが生成される（ステップＳＴ６）。
【００７２】
また、分岐器４Ｅによれば、第３の分岐器ポートＰ４３に他の分岐器が接続されているため、上りポート／系統・ＩＤ番号管理部４０で生成された第２の系統番号再付与フレーム信号Ｓ６０２ｅは、第３のポートデータ通信部４３、第３の分岐器ポートＰ４３、第２の幹線Ｌ２、他の分岐器である（直後段の）分岐器４Ｆの第１の分岐器ポートＰ４１、第１のポートデータ通信部４１を経由して上りポート／系統・ＩＤ番号管理部４０に伝送される。
【００７３】
分岐器４Ｆの上りポート／系統・ＩＤ番号管理部４０は、初期登録時におけるテーブルＴ４０の登録内容であって登録済みの系統番号及びＩＤ番号と、第２の系統番号再付与フレーム信号Ｓ６０２ｅに付加されている系統番号及びＩＤ番号とを比較する（ステップＳＴ２）。ここでは、系統番号が「２」で、ＩＤ番号が「３」で一致しているため、前述のような登録完了フレーム信号Ｓ２０ｆが上りポート／系統・ＩＤ番号管理部４０で生成されることはなく、ポート情報管理部４５から読出したポート情報をもとに他の分岐器が接続されていることを確認し（ステップＳＴ５）、受信された第２の系統番号再付与フレーム信号Ｓ６０２ｅを構成するＩＤ番号「３」に、所定値である例えば、「１」を加えた当該ＩＤ番号「４」と前述の系統番号「２」を付加した第２の系統番号再付与フレーム信号Ｓ６０２ｆが生成される（ステップＳＴ６）。
【００７４】
また、分岐器４Ｆによれば、第２、第４の分岐器ポートＰ４２、Ｐ４４にそれぞれ他の分岐器が接続されているため、上りポート／系統・ＩＤ番号管理部４０で生成された第２の系統番号再付与フレーム信号Ｓ６０２ｆは、第２のポートデータ通信部４２、第２の分岐器ポートＰ４２、他の分岐器である分岐器４Ｉの第４の分岐器ポートＰ４４、第４のポートデータ通信部４４を経由して上りポート／系統・ＩＤ番号管理部４０に伝送されるとともに、第４のポートデータ通信部４４、第４の分岐器ポートＰ４４、他の分岐器である分岐器４Ｃの第２の分岐器ポートＰ４２、第２のポートデータ通信部４２を経由して上りポート／系統・ＩＤ番号管理部４０に伝送される。
【００７５】
ここで、分岐器４Ｉの上りポート／系統・ＩＤ番号管理部４０は、初期登録時におけるテーブルＴ４０の登録内容であって登録済みの系統番号及びＩＤ番号と、第２の系統番号再付与フレーム信号Ｓ６０２ｆに付加されている系統番号及びＩＤ番号とを比較する（ステップＳＴ２）。ここでは、系統番号が「２」で、ＩＤ番号が「４」で一致しているため、前述のような登録完了フレーム信号Ｓ２０Ｉが上りポート／系統・ＩＤ番号管理部４０で生成されることはなく、上りポートとして設定されている第２の分岐器ポートＰ４２に接続された分岐器４Ｉ以外、他の分岐器が接続されている分岐器ポートがないことから、登録済みの系統番号「２」、ＩＤ番号「４」（及びポート情報）を付加した最終ＩＤ番号フレーム信号Ｓ８０３ｉを生成する。この最終ＩＤ番号フレーム信号Ｓ８０３ｉは、上りポート／系統・ＩＤ番号管理部４０から第４のポートデータ通信部４４、第４の分岐器ポートＰ４４、分岐器４Ｆの第２の分岐器ポートＰ４２、第２のポートデータ通信部４２を経由して上りポート／系統・ＩＤ番号管理部４０に伝送される（ステップＳＴ１１）。
【００７６】
分岐器４Ｆのポート／系統・ＩＤ番号管理部４０は、受信した最終ＩＤ番号フレーム信号Ｓ８０３ｉをフレームバッファ部４６に保存するとともに（ステップＳＴ１３）、この信号に付加されているＩＤ番号「４」に、所定値である「１」を加えた当該ＩＤ番号と前述の系統番号「２」を付加した第２の系統番号再付与フレーム信号Ｓ６１２ｆを生成し、上りポートとして設定されている第１の分岐器ポートＰ４１と前述の最終ＩＤ番号フレーム信号Ｓ８０３ｉを受信した第２の分岐器ポートＰ４２以外の当該分岐器ポートに接続されている他の分岐器に対して送出すべく、第４のポートデータ通信部４４から第４の分岐器ポートＰ４４、分岐器４Ｃの第２の分岐器ポートＰ４２、第２のポートデータ通信部４２を経由して上りポート／系統・ＩＤ番号管理部４０に送出する（ステップＳＴ１４）。
【００７７】
分岐器４Ｃのポート／系統・ＩＤ番号管理部４０は、初期登録時におけるテーブルＴ４０の登録内容であって登録済みの系統番号及びＩＤ番号と、第２の系統番号再付与フレーム信号Ｓ６１２ｆに付加されている系統番号及びＩＤ番号とを比較する。ここでは、系統番号が「１」又は「２」で、ＩＤ番号が「３」又は「５」で不一致であるため、第２の系統番号再付与フレーム信号Ｓ６１２ｆを受信した第４のポートデータ通信部４４が接続されている第４の分岐器ポートＰ４４を「上りポート」として、そのポート番号「４」に割当ててテーブルＴ４０に登録するとともに、受信された第２の系統番号再付与フレーム信号Ｓ６１２ｆを構成するＩＤ番号「５」を自分岐器４Ｃに割当てられる当該ＩＤ番号として、系統番号「２」とともにテーブルＴ４０に登録する（ステップＳＴ３）。
【００７８】
この後、分岐器４Ｃの上りポート／系統・ＩＤ番号管理部４０は、登録済みの系統番号「１」及びＩＤ番号「５」とポート情報管理部４５から読出した自分岐器におけるポート情報を付加した登録完了フレーム信号Ｓ９０１ｃを生成し、「上りポート」に登録された第２の分岐器ポートＰ４２に接続されている第２のポートデータ通信部Ｐ４２、第２の分岐器ポートＰ４２、分岐器４Ｆの第４の分岐器ポートＰ４４、第４のポートデータ通信部４４を経由して上りポート／系統・ＩＤ番号管理部４０に送出する（ステップＳＴ４）。
【００７９】
また、分岐器４Ｃの上りポート／系統・ＩＤ番号管理部４０は、第２の系統番号再付与フレーム信号Ｓ６１２ｆを受信したとき、他の分岐器が接続されている分岐器ポートがないことから、第２の系統における最終の当該分岐器であり、登録済みのＩＤ番号「５」を付加した最終ＩＤ番号フレーム信号Ｓ９１１ｃを生成する。この最終ＩＤ番号フレーム信号Ｓ９１１ｃは、前述の登録完了フレーム信号Ｓ９０１ｃと同一の信号伝送路を経由して分岐器４Ｆの上りポート／系統・ＩＤ番号管理部４０に伝送される。
【００８０】
分岐器４Ｆの上りポート／系統・ＩＤ番号管理部４０は、登録完了フレーム信号Ｓ９０１ｃ及び最終ＩＤ番号フレーム信号Ｓ９１１ｃを受信すると、フレームバッファ部４６に保存した最終ＩＤ番号フレーム信号Ｓ８０３ｉを破棄（削除）するとともに、受信した登録完了フレーム信号Ｓ９０１ｃ及び最終ＩＤ番号フレーム信号Ｓ９１１ｃを、上りポートとして設定されている第１の分岐ポートＰ４１から第２の幹線Ｌ２に送出すべく、第１のポートデータ通信部４１、第１の分岐器ポートＰ４１、第２の幹線Ｌ２、分岐器４Ｅの第３の分岐器ポートＰ４３、第３のポートデータ通信部４３、上りポート／系統・ＩＤ番号管理部４０、第１のポートデータ通信部４１、第１の分岐器ポートＰ４１、第２の幹線Ｌ２、分岐器４Ｄの第３の分岐器ポートＰ４３、第３のポートデータ通信部４３、上りポート／系統・ＩＤ番号管理部４０、第１のポートデータ通信部４１、第１の分岐器ポートＰ４１、第２の幹線Ｌ２、制御装置５の第２の系統ポートＰ５２、第２の系統ポート通信部５２を経由して系統・ＩＤ番号／ポート番号管理部５０に送出する（ステップＳＴ１５、ＳＴ１６）。
【００８１】
前述までのデータ信号の伝送後のタイミングにおいて、制御装置５の系統・ＩＤ番号／ポート番号管理部５０によれば、第１の系統データ通信部５１で受信された最終ＩＤ番号フレーム信号Ｓ７０１ｂと、第２の系統データ通信部５２で受信された登録完了フレーム信号Ｓ９０１ｃ及び最終ＩＤ番号フレーム信号Ｓ９１１ｃと、第３の系統データ通信部５３で受信された最終ＩＤ番号フレーム信号Ｓ７０３ｈをもとに、テーブルＴ５０の登録内容を更新することで、（１）系統（ポート）番号「１」に該当する最終ＩＤ番号は「２」、すなわち、第１の幹線Ｌ１には２台の分岐器４Ａ、４Ｂが順次接続されていること、（２）系統（ポート）番号「２」に該当する最終ＩＤ番号は「５」、すなわち、第２の幹線Ｌ２には５台の分岐器４Ｄ、４Ｅ、４Ｆ、４Ｉ、４Ｃの接続順位で順次接続され、このうち分岐器４Ｃの第３の分岐器ポートＰ４３にカメラ端末１が接続されていること（ポート接続情報）、（３）系統（ポート）番号「３」に該当する最終ＩＤ番号は「２」、すなわち、第３の幹線Ｌ３には２台の分岐器４Ｇ、４Ｈが順次接続され、このうち分岐器４Ｈの第２の分岐器ポートＰ４２にモニタ端末３が接続されていること（ポート接続情報）、がそれぞれ登録（書換え登録）されることになる（ステップＳＴ１９）。
【００８２】
ここで、前述のような書換え登録後における具体的な動作として、カメラ端末１で生成された前述の第２の動作時と同様な映像・音声フレーム信号は、分岐器４Ｃの第３の分岐器ポートＰ４３、第３のポートデータ通信部４３、上りポート／系統・ＩＤ番号管理部４０、第２のポートデータ通信部４２、第２の分岐器ポートＰ４２、分岐器４Ｆの第４の分岐器ポートＰ４４、第４のポートデータ通信部４４、上りポート／系統・ＩＤ番号管理部４０、第１のポートデータ通信部４１、第１の分岐器ポートＰ４１、第２の幹線Ｌ２、分岐器４Ｅの第３の分岐器ポートＰ４３、第３のポートデータ通信部４３、上りポート／系統・ＩＤ番号管理部４０、第１のポートデータ通信部４１、第１の分岐器ポートＰ４１、第２の幹線Ｌ２、分岐器４Ｄの第３の分岐器ポートＰ４３、第３のポートデータ通信部４３、上りポート／系統・ＩＤ番号管理部４０、第１のポートデータ通信部４１、第１の分岐器ポートＰ４１、第２の幹線Ｌ２、制御装置５の第２の系統ポートＰ５２、第２の系統データ通信部５２、系統・ＩＤ番号／ポート番号管理部５０、第３の系統データ通信部５３、第３の系統ポートＰ５３、第３の幹線Ｌ３、分岐器４Ｇの第１の分岐器ポートＰ４１、第１のポートデータ通信部４１、上りポート／系統・ＩＤ番号管理部４０、第３のポートデータ通信部４３、第３の分岐器ポートＰ４３、第３の幹線Ｌ３、分岐器４Ｈの第１の分岐器ポートＰ４１、第１のポートデータ通信部４１、上りポート／系統・ＩＤ番号管理部４０、第２のポートデータ通信部４２、第２の分岐器ポートＰ４２を経由してモニタ端末２に伝送され映像データが出画されるばかりでなく、音声データについては、モニタ端末２での出力又はこのモニタ端末２を経由して子機端末３に転送することもできる。
【００８３】
なお、分岐器４Ｆの上りポート／系統・ＩＤ番号管理部４０によれば、フレームバッファ部４６に最終ＩＤ番号フレーム信号Ｓ８０３ｉが保存されているとき、自分岐器に接続されている他の分岐器４Ｃ、４Ｉの上りポート／系統・ＩＤ番号管理部４０で登録拒否フレーム信号がそれぞれ生成され、これらの登録拒否フレーム信号を受信すると、フレームバッファ部４６に保存された最終ＩＤ番号フレーム信号Ｓ８０３ｉを読出し、上りポートとして設定されている第１の分岐ポートＰ４１から第２の幹線Ｌ２に送出すべく、第１のポートデータ通信部４１、第１の分岐器ポートＰ４１、第２の幹線Ｌ２、分岐器４Ｅの第３の分岐器ポートＰ４３、第３のポートデータ通信部４３、上りポート／系統・ＩＤ番号管理部４０、第１のポートデータ通信部４１、第１の分岐器ポートＰ４１、第２の幹線Ｌ２、分岐器４Ｄの第３の分岐器ポートＰ４３、第３のポートデータ通信部４３、上りポート／系統・ＩＤ番号管理部４０、第１のポートデータ通信部４１、第１の分岐器ポートＰ４１、第２の幹線Ｌ２、制御装置５の第２の系統ポートＰ５２、第２の系統ポート通信部５２を経由して系統・ＩＤ番号／ポート番号管理部５０に送出することもできる（ステップＳＴ１７、ＳＴ１８、ＳＴ１９）。
【００８４】
本発明の実施例における第３の動作によれば、分岐器４Ｂ及び分岐器４Ｃ間を接続する第１の幹線Ｌ１が切断（接続断）された場合の動作について説明したが、この態様に限定されるものではない。例えば、複数の分岐器４Ａ、４Ｂ、４Ｃ、４Ｄ、４Ｅ、４Ｆ、４Ｇ、４Ｈ、４Ｉのうち相互にライン接続されている機器間の接続状態が切断された場合であっても同様な動作が可能となる。
【００８５】
前述までの説明から明らかなように、本発明の実施例によるインターホンシステムでは、リング状にポート番号「１」、「２」、「３」が付与された複数の異なる系統毎に設置され、当該系統毎に異なる第１、第２、第３の幹線Ｌ１、Ｌ２、Ｌ３を経由して制御装置５に接続される複数の分岐器４Ａ、４Ｂ、４Ｃ、４Ｄ、４Ｅ、４Ｆ、４Ｇ、４Ｈ、４Ｉが有する第１乃至第４のポート（分岐器ポート）Ｐ４１、Ｐ４２、Ｐ４３、Ｐ４４全てに任意の機器、例えば、インターホン端末（カメラ端末、モニタ端末及び子機端末）１、２、３を接続可能として、少なくとも２の系統における分岐器間における通信経路を多重化し、分岐器の接続断時やその復旧時においてＩＤ番号の再付与することで通信経路を自動的に変更することができる。これにより、分岐器を追加することなく自由に通信経路の多重化を行うことができる。
【００８６】
本発明のインターホンシステムにおいては、特定の実施の形態をもって説明してきたが、この形態に限定されるものでなく、本発明の効果を奏する限り、これまで知られた如何なる構成の当該システムであっても採用できるということは言うまでもないことである。
【００８７】
具体的に、本発明の実施例においては、制御装置５の系統・ＩＤ番号／ポート番号管理部５０で生成される系統番号（再）付与フレーム信号を構成するＩＤ番号として、初期値「１」の当該ＩＤ番号を適用したが、この値に限定されるものではない。例えば、「１」以外の適宜な値（初期値）のＩＤ番号を適用することもできる。
【００８８】
また、本発明の実施例においては、複数の分岐器４Ａ、４Ｂ、４Ｃ、４Ｄ、４Ｅ、４Ｆ、４Ｇ、４Ｈ、４Ｉの上りポート／系統・ＩＤ番号管理部４０の動作として、受信した番号（再）付与フレーム信号を構成するＩＤ番号に所定値を追加するにあたり、その所定値として「１」を適用したが、この値に限定されるものではない。例えば、「１」以外の適宜な値を追加することもできる。
【符号の説明】
【００８９】
１、２、３……複数の端末
４Ａ、４Ｂ、４Ｃ、４Ｄ、４Ｅ、４Ｆ、４Ｇ、４Ｈ、４Ｉ……複数の分岐器
４０……上りポート／系統・ＩＤ番号管理部
４１、４２、４３、４４……第１乃至第４のポートデータ通信部（複数のポートデータ通信部）
４５……ポート情報管理部
４６……フレームバッファ部
５……制御装置
５０……系統・ＩＤ番号／ポート情報管理部
５１、５２、５３……第１乃至第３の系統データ通信部（複数の系統データ通信部）
Ｌ１、Ｌ２、Ｌ３……第１乃至第３の幹線（複数の系統毎の幹線）
【図１】
2015142164.tif 000003
【図２】
2015142164.tif 000004
【図３】
2015142164.tif 000005
【図４】
2015142164.tif 000006
【図５】
2015142164.tif 000007
【図６】
2015142164.tif 000008
【図７】
2015142164.tif 000009